(57)【特許請求の範囲】
【請求項１】
不規則な形状を有する製品（１４、１８）の耐衝撃性包装方法であって、
単一、且つ、平らで折り曲げ可能であり、基部面部と、側壁形成要素と端壁形成要素を有するボール紙包装材料を供する工程と、
前記ボール紙包装材料の前記基部面部に局所的に接着剤層（１２，１３，１６，２３〜２５，３１）を塗布する工程と、
前記ボール紙包装材料が平らな状態で、前記製品を確実に配置するため前記接着剤層に前記製品を接触させて位置決めする工程と、
前記ボール紙包装材料の前記側壁形成要素と前記端壁形成要素を立てて実質的に箱形状を形成する工程と、を含むことを特徴とする耐衝撃性包装方法。
【請求項２】
前記接着剤層（１６）と接触させられる前に、前記製品（１８）がバリヤ材料（１９）により包まれ、このバリヤ材料（１９）が前記製品を完全に覆うようになっていることを特徴とする請求項１に記載の耐衝撃性包装方法。
【請求項３】
前記バリヤ材料（１９）がフィルム材料であることを特徴とする請求項２に記載の耐衝撃性包装方法。
【請求項４】
前記接着剤層（１２，１３，１６）が液体状態において塗布されることを特徴とする請求項１，２または３に記載の耐衝撃性包装方法。
【請求項５】
発泡接着剤化合物が前記接着剤層（１２，１３，１６）を塗布するのに使用されることを特徴とする請求項４に記載の耐衝撃性包装方法。
【請求項６】
接着剤化合物としてホットメルト接着剤が使用されることを特徴とする請求項５に記載の耐衝撃性包装方法。
【請求項７】
前記接着剤層が外側に接着性を有する少なくとも１つの接着剤テープ（２３〜２５，３１）の形において塗布されることを特徴とする請求項１，２または３に記載の耐衝撃性包装方法。
【請求項８】
両面接着剤テープ（２３〜２５，３１）を使用することを特徴とする請求項７に記載の耐衝撃性包装方法。
【請求項９】
前記接着剤層を塗布する前に前記基部面部に衝撃吸収層を塗布することを特徴とする請求項１ないし８のいずれか１項に記載の耐衝撃性包装方法。
【請求項１０】
請求項１〜９のいずれかに記載の耐衝撃性包装方法に使用されるボール紙包装材料であって、
単一、且つ、平らで折り曲げ可能であり、基部面部と、側壁形成要素と端壁形成要素を有し、
選択的に活性化された接着剤層（１２，１３，１６，２３〜２５、３１）が前記ボール紙包装材料の前記基部面部に設けられ、前記ボール紙包装材料に確実に位置決めされるように前記製品（１４、１８）を保持することを特徴とするボール紙包装材料。
【請求項１１】
前記接着剤層が取り外し可能な保護層（２６〜２８，３２）によって被覆された外側接着剤面を備えた少なくとも１つの接着剤テープ（２３〜２５，３１）からなっていることを特徴とする請求項１０に記載のボール紙包装材料。
【発明の詳細な説明】
【０００１】
（技術分野）
本発明は、ボール紙包装材料の基部面への接着剤層の局部的な塗布、前記接着剤層との製品の接触および前記包装材料の閉止の工程からなっている、実質上箱形状のボール紙包装材料内での製品の耐衝撃性包装方法に関する。
【０００２】
（発明の背景）
搬送および取扱いの間中、衝撃荷重の形における機械的損傷に対して保護されるべきである多数の種々の製品に関して、また、それ自体幾らか不規則な形状を有する製品に関して積み上げられかつ組織的な搬送および貯蔵を許容する箱形状のボウル紙包装材料において耐衝撃性包装を設けることは良く知られている。
【０００３】
この種の通常の包装において、ボール紙包装材料の内方形状に通常対応する内方包装材料は、加工可能な材料、殻体およびブロックが包装された製品の外方輪郭に嵌合するように形成され得るため、とくに、ポリスチレンのごとき発泡プラスチツクからの殻体およびブロックの形において使用される。したがって、製品はボール紙包装材料内に固定して配置され、かつ良好な機械的保護がこれにより得られる。しかしながら、この包装の形状は、特別に形成された内方包装要素の使用により、比較的高価でありかつ同時に、一般に手で実施されねばならない製品の包装および包装解除の両方に関してむしろ時間を消費する。内方包装材料の貯蔵は貯蔵場所のより大きな需要を伴い、かつ使用後の内方包装材料の処分は高価でかつ増大される環境への影響を引き起こす。
【０００４】
アメリカ合衆国特許第３，８９１，０９０号から、熱収縮可能なプラスチツクフィルムの管状内方包装要素が基部面に接着される箱形状のボール紙包装材料内に種々の形状の製品、とくに小さい大きさの製品を包装することが知られている。この内方包装材料内への製品の配置時、熱収縮可能な管は熱の印加時製品を密閉して取り囲むようになされている。しかしながら、熱印加の要求は結果として包装において追加の工程を生じる。
【０００５】
同様な包装方法はアメリカ合衆国特許第４，７５７，９００号に開示されており、その場合に熱収縮可能な内方包装要素がボール紙包装材料の外面に固定されている。
【０００６】
ヨーロッパ特許第０６８６５７７号は、それによってポット手段または花瓶の形における多数の花の容器が、層状にされたポリプロピレンフィルムのごときシート材料から個々に形成されかつ続いてそれらの基部において、箱形状のカートン包装材料のの底部によって形成される支持構造に接続される、搬送および供給用植物包装を設ける方法を開示している。
【０００７】
（発明の開示）
本発明の目的は上記で知られた包装方法に関連して実質的な簡単化および価格低減を必ず伴う方法を提供することにある。
【０００８】
それゆえ、本発明による方法は、接着剤層が平らな折り曲げ可能なボール紙ブランクの基部面部分に塗布され、製品が前記部分上に置かれる一方、ボール紙ブランクが平らな状態にありかつ次いで前記ブランクがボール紙包装材料を形成するように折り曲げられることによって特徴付けられる。
【０００９】
これにより、製品に適合させられる特別な内方包装材料の製造の必要が回避され、そして包装および包装解除の両方における加工作業の数が最小にされる。
【０００１０】
平らなボール紙ブランクの折り曲げ前のこのブランク上への直接の製品の配置は、塗布された接着剤層を備えた平らなボール紙ブランクが例えば包装ステーションにおいて１つ１つ製品を受容するベルトコンベヤ上に自動的に搬送され得るので本発明による方法を工業的規模に関する製品の耐衝撃性包装にとくに使用可能にする。
【００１１】
箱形状ボール紙包装材料の適切な硬さにより、機械的衝撃に対する包装された製品の保護および貯蔵および搬送中の包装された製品の積み重ねられかつ組織的な配置の可能性の両方が公知の包装方法によって得られることができることが実質上等しく、ボール紙包装それ自体の基部部分上の接着剤層への包装された製品の保持がボール紙包装における製品の確実な配置を結果として生じる。
【００１２】
さらに、製品がその上に配置される、基部面を取り囲んでいるボール紙ブロックの部分の折り曲げにより、空気バッファ領域が製品と仕上げられた箱形状の包装材料の壁との間に設けられる。
【００１３】
本方法の好都合な実施例は従属の請求項２ないし９に述べられている。
【００１４】
本方法の好適な実行において、製品は接着剤層上に位置決めする前に、バリヤ材料により完全に包まれる。とくに、フィルム材料のごとき、弾性のバリヤ層の使用により、箱形状の包装材料の変形性によりかつ接着剤層それ自体によって設けられる衝撃吸収のさらに他の改善が得られる。
【００１５】
本発明は、さらに、選択的に活性化されるべき接着剤層がボール紙ブランクの１部分に設けられ、このボール紙ブランクが、前記ボール紙包装材料へのブランクの折り曲げにより、その基部面を設けることを特徴とする、実質上箱形状のボール紙包装材料を設けるように折り曲げ可能である、平らなボール紙ブランクからなっている本方法において使用の包装材料に関する。
【００１６】
選択的に活性化されるような接着剤層によって、平らなボール紙ブランク上に前もって塗布されるが、その接着特性が製品の包装方法が実施されるまで活性化されない接着剤層が意味される。
【００１７】
この平らなボール紙ブランクの適切な実施例において、塗布された接着剤層は取り外し可能な保護層によつて被覆された外側接着剤テープからなっている。
【００１８】
それにより、本発明は、工業用包装および私的な家庭用の両方における使用のための独立した包装ユニットとしての平らなボール紙ブランクを製造する可能性を提供する。
【００１９】
以下で、本発明を概略図面を参照してより詳細に説明する。
【００２０】
（発明を実施するための最良の形態）
図１および図２は平らなボール紙ブランクを折り曲げることによって設けられる箱形状のボール紙包装材料における底部を形成するようになされる基部部分２を備えた平らなボール紙ブランク１を示している。
【００２１】
基部部分または底壁２は、折り曲げ線によつて側壁３および４および突出する接着剤フラップ７を備えている端壁５および６からなっている平らなボール紙ブランク１のさらに他の要素と接続されている。
【００２２】
側壁３と４および端壁５と６の各々はさらに、要素、それぞれ８，９，１０および１１と接続されそしてそれらの要素はともに最終ボール紙包装材料の蓋を形成するようになされている。
【００２３】
示された実施例において、２つのテープ形状の接着剤層１２および１３が基部部分または底壁２上に塗布されている。接着剤層１２および１３はここでは基部部分２上に液体状態において塗布され、例えばホットメルト接着剤のごとき発泡接着剤化合物がこのために適切に使用されている。包装されるべき製品１４は図１および図２においてローラシャッタの形の屋根窓用の付属部品であるが、しかしながら、これは、もちろん、無数の種々の製品の包装に使用され得る本発明を決して限定してない。
【００２４】
図３に示されるように、本発明による方法は以下の処理工程からなることができる。ａ）において、平らなボール紙ブランク１が、例えば、ベルトまたはローラコンベヤ（図示せず）によって行われ得る直線運動において搬送される。ｂ）において、平らなボール紙ブランク１は、１またはそれ以上の接着剤層１６が、例えば、上述されたように、ブランク１の基部部分１７上に液体状態において塗布される接着剤塗布装置１５を通過する。
【００２５】
包装されるべき製品１８は、ｃ）の図示例において、とくに良好な機械的保護を得るために、例えば、ブリスターフォイルにすることもできる、プラスチツクフィルム１９により完全に被覆されている。しかしながら、これは、製品が、例えば、可溶性の保護層、ワックスまたは同様なコーティングによって、接着剤１６との直接接触に対して他の方法において保護され得るので、本方法の必要な特徴ではない。ｄ）において製品１８は接着剤層１６との直接の接着剤接触において被覆されたフィルム１９とともに平らなボール紙ブランク１の基部部分１７上に置かれている。
【００２６】
最後に、ｅ）において、平らなボール紙ブランク１は予め形成された折り曲げ線に沿ってブランクの種々の要素を屈曲することにより折り曲げられ、それによって箱形状の包装材料２０が製造され、その中に製品１８が確実な方法において配置されかつ基部部分１７に固定される。
【００２７】
図４および図５において平面図で示されるように、平らなボール紙ブランクは、本発明による方法を実施することにより、多数の種々の包装目的用の個々の包装ユニットとして製造されることができる。
【００２８】
図４は、したがって、平らなボール紙ブランク２１の基部部分２２上に、３つの接着剤層２３，２４および２５が、接着剤テープの各々が例えば、紙リボン２６〜２８の形において、取り外し可能な保護層によって被覆される、外側接着剤面を備えた、例えば、両面接着の、接着剤テープの形において塗布されている例を示している。
【００２９】
とくに、幾つかの製品が１つの包装ボール紙内に配置され得る場合において、図５に示されるように、例えば、基部部分２９の面積全体を被覆する窓ガラスパターンにおいて示されるように、接着剤テープ３１の形において接着剤層の素位置のために平らなボール紙ブランク２９の基部部分３０のより大きい部分を使用するのが適切であるるかも知れず、それによって接着剤テープ３１は共通の保護層３２によって適切に被覆され得る。
【００３０】
図６に側面図で示されるように、改善された耐衝撃性は接着剤層３５の塗布前に包装材料の基部面３４に、例えば、発泡またはゲル状の材料からなる衝撃吸収層３３を塗布することによって得られることができる。
【図面の簡単な説明】
【図１】  折り曲げられる前の平らなボール紙ブランク上の包装されるべき製品の固定された配置を示す示す平面図である。
【図２】  折り曲げられる前の平らなボール紙ブランク上の包装されるべき製品の固定された配置を示す側面図である。
【図３】        ａ）本発明による方法の実施例を示す図である。
ｂ）本発明による方法の実施例を示す図である。
ｃ）本発明による方法の実施例を示す図である。
ｄ）本発明による方法の実施例を示す図である。
ｅ）本発明による方法の実施例を示す図である。
【図４】  接着剤テープの形において接着剤層を有する平らなボール紙ブランクの実施例を示す平面図である。
【図５】  接着剤テープの形において接着剤層を有する平らなボール紙ブランクの実施例を示す平面図である。
【図６】  変更された実施例を示す側面図である。
【図１】
0004376465.tif 000002
【図２】
0004376465.tif 000003
【図３】
0004376465.tif 000004
【図４】
0004376465.tif 000005
【図５】
0004376465.tif 000006
【図６】
0004376465.tif 000007